(57)【要約】【課題】取付け作業性のよいドアの取手ブラケットの取付け構造を提供する。【解決手段】ドアの取手ブラケット１をドアＤに取付ける連結ピース２は、２つのねじ挿通長穴２１，２１の位置が、ドア取手１０を取付けせんとする角度に合わせて固定され、取手ブラケット１の先端部１１をこの固定された連結ピース２に被せ入れ、取手ブラケット１の周壁１３に形成したねじ穴１４，１４からねじ込まれた止めねじ４，４の先端がこのねじ挿通長穴２１，２１から連結ピース２のテーパー部２６にあてがわれ、止めねじ４，４のねじ込みにより、テーパー部２６に対する止めねじ４，４先端の作用により、ドア取手１０の取付け位置に取手ブラケット１が取付けられる。【選択図】図１
2007284907.tif 000002
【特許請求の範囲】
【請求項１】
ドアの取手ブラケットは、先端部内が中空となされるとともに周壁には２つのねじ穴がドア取手の中心軸に沿うか直交する位置において、先端部の中心軸に直交するように、同一線上に形成されてなるものであり、
このドアの取手ブラケットをドアに取り付ける連結ピースは、断面が中空ハット形の円筒体で、天板の中央に連結ピースの中心軸に沿う固定ねじの嵌通穴が形成されるとともに、円筒体内の天板下部には下窄まりのテーパー部が形成され、かつ胴板には円周方向にやや長い２つのねじ挿通長穴が、前記した連結ピースの中心軸に直交するように、同一線上に形成されてなるものであり
前記した連結ピースは、２つのねじ挿通長穴の位置を、ドア取手を取付けせんとする角度に合わせ、嵌通穴に嵌め入れた固定ねじでドアの側面に固定され、ドアの取手ブラケットの先端部をこの固定された連結ピースに被せ入れ、この先端部の周壁に形成された２つのねじ穴から止めねじをねじ込み、これら止めねじの先端は連結ピースの円筒体の胴板に形成したねじ挿通長穴を経て円筒体の前記テーパー部にあてがわれ、止めねじのさらなるねじ込みによりこの止めねじの先端に作用する押圧力の直角方向分力により、ドアの取手ブラケットの先端面をドアの側面に引き寄せて圧着してなることを特徴とするドアの取手ブラケットの取付け構造。
【請求項２】
ドアの取手ブラケットの先端外周が、このドアの取手ブラケットの先端部の外周よりも幅広に開いたラッパ形先端部に形成されてなる請求項１に記載のドアの取手ブラケットの取付け構造。
【発明の詳細な説明】
【技術分野】
【０００１】
この発明は、主としてドアの取手ブラケットの取付け構造に関する。
【背景技術】
【０００２】
従来、特許文献１に示すような発明があった。この発明は、ドアの内外両側に一対の把手の取付け部を同一線上に配置するとともに、一方の把手取付け部とドアとの間に胴部外周にテーパー部を有する鼓形の係止カラーを介設し、この係止カラーと他方の把手取付け部とをドアとともにボルトで共締めしてドアの両面に圧着し、さらに一方の把手取付け部に設けた中空部を前記係止カラーの外周に嵌脱自在に嵌合するとともに、この把手取付け部の外周に螺設した係止ねじを締め付けてその先端部で前記係止カラーのテーパー部を押圧し、この係止ねじの先端部に作用する押圧力の直角方向分力により一方の把手取付け部をドア方向に引き寄せてドアに圧着するものである。
【特許文献１】特開平９−１７７３８３号公報
【発明の開示】
【発明が解決しようとする課題】
【０００３】
しかし、上記従来の構造においては、鼓形の係止カラーの外周には全周にわたってテーパー部が形成され、しかも把手の回動規制がないため、ドアの取手の位置決めがし難いという問題があった、このため、ドアの取手の取付け作業が手間取ったり、仮締めしたドアの取手の取付けが緩んだりしていた。
【課題を解決するための手段】
【０００４】
本願発明に係るドアの取手ブラケットの取付け構造は、先端部内が中空となされるとともに周壁には２つのねじ穴がドア取手の中心軸に沿うか直交する位置において、先端部の中心軸に直交するように、同一線上に形成されてなるドアの取手ブラケットと、このドアの取手ブラケットをドアに取付ける連結ピースとからなる。
【０００５】
この連結ピースは、天板の板厚が胴板や縁板の板厚の約２倍となされた、断面が中空ハット形の円筒体で、天板の中央に連結ピースの中心軸に沿う固定ねじの嵌通穴が形成されるとともに、円筒体内の天板下部には下窄まりのテーパー部が形成され、かつ胴板には円周方向にやや長い２つのねじ挿通長穴が、前記した連結ピースの中心軸に直交するように、同一線上に形成されてなるものである。
【０００６】
前記した連結ピースは、２つのねじ挿通長穴の位置を、ドア取手を取付けせんとする角度に合わせ、嵌通穴に嵌め入れた固定ねじでドアの側面に固定される。ドアの取手ブラケットの先端部をこの固定された連結ピースに被せ入れ、この先端部の周壁に形成された２つのねじ穴から止めねじをねじ込み、これら止めねじの先端は連結ピースの円筒体の胴板に形成したねじ挿通長穴を経て円筒体の前記テーパー部にあてがわれ、止めねじのさらなるねじ込みによりこの止めねじの先端部に作用する押圧力の直角方向分力により、ドアの取手ブラケットの先端面をドアの側面に引き寄せて圧着してなる。
【発明の効果】
【０００７】
連結ピースが、２つのねじ挿通長穴の位置を、ドア取手を取付けせんとする角度に合わせ、嵌通穴に嵌め入れた固定ねじでドアの側面に固定できる。したがって、ドアの取手ブラケットが、ドアの取手の位置決めがし易いように取付けられるため、作業性がよく仮締めなどもできる。また、不意にドアの取手ブラケット及びドアの取手が位置ズレしたりすることはない。
【発明を実施するための最良の形態】
【０００８】
以下、本願発明を実施をするための最良の形態を図面に基づいて説明する。
【０００９】
図１は、本願発明に係るドアの取手ブラケットの取付け構造を示す正面から見た断面図である。図２は、同じくドアの取手ブラケットの取付け構造を側面から見た断面図である。
【００１０】
本願発明に係るドアの取手ブラケットの取付け構造には、ドアの取手ブラケット１、連結ピース２、連結ピース２の固定ねじ３と２本の止めねじ４の各部材が用いられている。
【００１１】
ドアの取手ブラケット１は、先端部１１内が中空１２となされている。この先端部１１の周壁１３には２つのねじ穴１４，１４が、ドア取手１０の中心軸Ｌ２に沿うか直交する位置において、先端部の中心軸Ｌ１に直交するように、同一線上に形成されている。なお、ドアの取手ブラケット１の先端外周は、このドアの取手ブラケット１の先端部１１の外周よりも幅広に開いたラッパ形先端部１５に形成されている。
【００１２】
ドアの取手ブラケット１をドアＤに取付ける連結ピース２は、天板２２の板厚が胴板２３や縁板２４の板厚の約２倍となされた、断面が中空ハット形の円筒体である。天板２２の中央に連結ピース２の中心軸Ｌ１（ドアの取手ブラケット１の中心軸と同じ）に沿う固定ねじ３の嵌通穴２５が形成されている。天板２２の下部には下窄まりのテーパー部２６が形成され、胴板２３には円周方向にやや長い２つのねじ挿通長穴２１，２１が、前記した連結ピース２の中心軸Ｌ１に直交するように、同一線上に形成されてなる。
【００１３】
連結ピース２の固定は次のようになされる。縁板２４の先端面をドアＤの側面にあてがい、２つのねじ挿通長穴２１，２１の位置が、ドア取手１０を取付けせんとする角度に合わせられ、嵌通穴２５に嵌め入れた固定ねじ３でドアＤの側面に固定する。
【００１４】
次に、ドアの取手ブラケット１の先端部１１をこの固定された連結ピース２に被せ入れ、この先端部１１の周壁１３に形成された２つのねじ穴１４，１４から止めねじ４，４をねじ込む。これら止めねじ４，４の先端が連結ピース２の円筒体の胴板２３に形成したねじ挿通長穴２１，２１を経て円筒体の前記テーパー部２６にあてがわれる。止めねじ４，４のさらなるねじ込みによりテーパー部２６がこの止めねじ４，４の先端に作用する押圧力の直角方向分力により、先端面１６が引き寄せられて、ドアの取手ブラケット１はドアＤの側面に圧着されてなる。
【００１５】
連結ピース２は、２つのねじ挿通長穴２１，２１の位置が、ドア取手１０を取付けせんとする角度に合わせて固定されているため、ドアの取手ブラケット１の周壁１３に形成したねじ穴１４，１４からねじ込まれた止めねじ４，４の先端はこのねじ挿通長穴２１，２１から連結ピース２のテーパー部２６にあてがわれる。したがって、止めねじ４，４をねじ挿通長穴２１，２１に通しさえすれば、ドア取手１０の取付け位置にドアの取手ブラケット１が取付けられることになる。ドアの取手ブラケット１の位置が簡単・確実に合わせられるから、作業性がよい。また、止めねじ４，４がねじ挿通長穴２１，２１の許容範囲内しか動かないので、固定しているドアの取手ブラケット１に規制がかかり、不意に位置ズレすることはない。特に、ドアの取手を取付ける際に、仮止めなどしておくに都合のよい構成である。
【００１６】
図７は、ドアＤにドア取手１０をシングルに取付けた側面図を示しているが、図８のようにドアＤを挟んでドア取手１０をダブルに取付ける場合であっても本願発明を適用できることは言うまでもない。
【図面の簡単な説明】
【００１７】
【図１】本願発明に係るドアの取手ブラケットの取付け構造を示す正面から見た断面図である。
【図２】同じくドアの取手ブラケットの取付け構造を側面から見た断面図である
【図３】ねじ挿通長穴を経た止めねじの先端がテーパー部にあたっている状態を示す図である。
【図４】連結ピースの側面図である。
【図５】連結ピースの断面図である。
【図６】ねじ挿通長穴における連結ピースの断面図である。
【図７】ドアの片側にドア取手を取付けた側面図である。
【図８】ドアの両側にドア取手を取付けた側面図である。
【符号の説明】
【００１８】
１      ドアの取手ブラケット
１０    ドア
１１    ドアの取手ブラケット１の先端部
１２    中空
１３    周壁
１４    ねじ穴
１５    ラッパ形下端部
２      連結ピース
２１    ねじ挿通長穴
２２    天板
２３    胴板
２４    縁板
２５    嵌通穴
２６    テーパー部
３      固定ねじ
４      止めねじ
Ｄ      ドア
【図１】
2007284907.tif 000003
【図２】
2007284907.tif 000004
【図３】
2007284907.tif 000005
【図４】
2007284907.tif 000006
【図５】
2007284907.tif 000007
【図６】
2007284907.tif 000008
【図７】
2007284907.tif 000009
【図８】
2007284907.tif 000010